【手続補正書】
【提出日】平成17年2月17日(2005.2.17)
【手続補正１】
【補正対象書類名】特許請求の範囲
【補正対象項目名】全文
【補正方法】変更
【補正の内容】
【特許請求の範囲】
【請求項１】
宝石用原石又はダイヤモンドを容器内に配置し、
前記宝石用原石又はダイヤモンドが前記容器の一つ又は複数の側壁に接触せず、マーク付けされるべき表面に対して垂直な方向に見たときに前記宝石用原石又はダイヤモンドの一部の前側又は後ろ側の両方に保持材料があることにより、保持材料が硬化したときに前記宝石用原石又はダイヤモンドが保持材料によってしっかりと保持されるよう、保持材料を液体として容器の一つ又は複数の側壁と前記宝石用原石又はダイヤモンドとの間に成形し、
前記保持材料を硬化させ、
前記容器は、マークの形成のための更なる手順のために前記宝石用原石又はダイヤモンドを位置決めするよう直接的又は間接的に使用されうる位置決め面を画成する、
宝石用原石又は工業用ダイヤモンドをその表面上にマークを形成するために取り付ける方法であって、
前記宝石用原石又はダイヤモンドが前記容器内に配置されたとき、前記表面は少なくともマーク付けされるべき前記表面に保持材料がないままとされるよう接触面と係合し、前記容器によって画成される位置決め面はマーク付けされるべき前記表面と一致するか又は平行であり、それにより位置決め面はマーク付けされるべき前記表面を略所定の平面上にして前記宝石用原石又はダイヤモンドを位置決めするために使用されうる、方法。
【請求項２】
前記宝石用原石又はダイヤモンドの周りには、前記容器の一つ又は複数の側壁を前記宝石用原石又はダイヤモンドから分離する保持材料の途切れのないリングがある、請求項１記載の方法。
【請求項３】
前記容器は前記位置決め面を画成する境界を有する開口を有し、保持材料の成形前は前記開口の境界は前記接触面と係合し、前記開口の境界は成形後に前記接触面から外され、マークされた表面が前記位置決め表面と同一平面上となるよう容器内に据え付けられた宝石用原石又は工業用ダイヤモンドを提供する、請求項１記載の方法。
【請求項４】
前記容器の開口は一番上にあり、前記宝石用原石又は工業用ダイヤモンドは前記容器内へと下降される、請求項３記載の方法。
【請求項５】
前記容器は、底部と、上向きに内側に傾斜した一つ又は複数の壁によって画成される、請求項４記載の方法。
【請求項６】
前記接触面は、開口の境界と係合したときに前記開口の境界を囲むよう配置された下向きの突起をその周りに有する、請求項４又は５記載の方法。
【請求項７】
前記容器は、前記宝石用原石又は工業用ダイヤモンドを前記容器内へ相対的に下降させる前に、保持材料で少なくとも部分的に充填される、請求項４乃至６のうちいずれか一項記載の方法。
【請求項８】
前記接触面には、前記接触面が前記開口の境界に係合するときに、保持材料を前記容器へ供給する少なくとも１つの開口がある、請求項４乃至７のうちいずれか一項記載の方法。
【請求項９】
前記宝石用原石又は工業用ダイヤモンドを容器の中に配置した後、更なる保持材料が容器に供給される、請求項４乃至８のうちいずれか一項記載の方法。
【請求項１０】
前記容器は、保持材料が前記接触面と接触するよう液体の保持材料で略満たされる、請求項４乃至９のうちいずれか一項記載の方法。
【請求項１１】
前記容器は前記位置決め面を画成する底部開口を有し、マークされるべき表面は前記接触面上に配置され、前記容器は、前記宝石用原石又はダイヤモンドを容器の中に置くよう前記接触面上の前記宝石用原石又はダイヤモンドの上に配置され、液体の保持材料が容器へ供給される、請求項１又は２記載の方法。
【請求項１２】
前記宝石用原石又は工業用ダイヤモンドは吸引によって前記接触面に対して保持される、請求項１乃至１１のうちいずれか一項記載の方法。
【請求項１３】
前記宝石用原石又はダイヤモンドは、前記宝石用原石又はダイヤモンドのマーク付けされるべき表面とは反対の側を受容する凹部を有する部材上に配置され、前記凹部部材は前記宝石用原石又はダイヤモンドの表面を、容器の上部を成す前記接触面に対して保持するよう上昇される、請求項１乃至１０のうちいずれか一項記載の方法。
【請求項１４】
前記容器は、一つ又は複数の側壁を与える環状部材と、前記宝石用原石又はダイヤモンドが前記環状部材によって囲まれて保持材料中に保持されるよう成形中に与えられ成形後に除去される少なくとも別個の底部材とを含む、請求項１乃至１３のうちいずれか一項記載の方法。
【請求項１５】
前記保持材料は、前記宝石用原石又はダイヤモンドの周りに液体状で成形され、柔軟な又は弾性の保持材料を形成するよう硬化される、請求項１乃至４、１３、及び１４のうちいずれか一項記載の方法。
【請求項１６】
前記容器の一つ又は複数の側壁はアンダーカットである、請求項１乃至１５のうちいずれか一項記載の方法。
【請求項１７】
前記保持材料はインジウムである、請求項１乃至１４のうちいずれか一項記載の方法。
【請求項１８】
前記保持材料はポリマーである、請求項１乃至１６のうちいずれか一項記載の方法。
【請求項１９】
前記保持材料は弾性であるかエラストマーである、請求項１乃至１６のうちいずれか一項記載の方法。
【請求項２０】
前記保持材料は柔軟である、請求項１乃至１６のうちいずれか一項記載の方法。
【請求項２１】
前記表面上にマークを形成する段階を更に有し、前記宝石用原石又はダイヤモンドの表面上にマークが形成された後、前記宝石用原石又はダイヤモンドは、マーク付けされるべき表面に対して垂直な方向にこれを押し出すことによって前記保持材料から除去される、請求項１９又は２０記載の方法。
【請求項２２】
前記マーク付けされるべき表面は宝石用原石のテーブルである、請求項１乃至２１のうちいずれか一項記載の方法。
【請求項２３】
前記宝石用原石又はダイヤモンドの前記マーク付けされるべき表面と反対側の部分は、該部分が加熱又は冷却されえそれにより前記宝石用原石又はダイヤモンドを加熱又は冷却するよう、保持材料は覆われない、請求項１乃至２２のうちいずれか一項記載の方法。
【請求項２４】
前記部分は囲んでいる保持材料から突出する、請求項２３記載の方法。
【請求項２５】
少なくともマーク付けされるべき表面が自由なままであり、マーク付けされるべき表面に対して垂直な方向に見たときに前記宝石用原石又はダイヤモンドの一部の前側又は後ろ側の両方に保持材料があることにより、前記宝石用原石又はダイヤモンドが保持材料によってしっかりと保持されるよう、柔軟な又は弾性の保持材料を宝石用原石又はダイヤモンドの周りに置き、前記ホルダは、前記マークの形成のための更なる手順のために前記宝石用原石又はダイヤモンドを位置決めするよう直接的又は間接的に使用されうる位置決め面を画成し、前記位置決め面はマーク付けされるべき前記表面と一致するか又は平行であり、それにより前記位置決め面はマーク付けされるべき前記表面を略所定の平面上にして前記宝石用原石又はダイヤモンドを位置決めするために使用されうる、宝石用原石又は工業用ダイヤモンドをその表面上にマークを形成するために取り付ける方法。
【請求項２６】
前記保持材料は、前記宝石用原石又はダイヤモンドの周りに液体状で成形され、柔軟な又は弾性の保持材料を形成するよう硬化される、請求項２５記載の方法。
【請求項２７】
請求項１乃至４、１３乃至１５、並びに、２１乃至２４のうちいずれか一項記載の方法と組み合わされる請求項２５又は２６記載の方法。
【請求項２８】
請求項１乃至２７のうちいずれか一項記載のように宝石用原石又はダイヤモンドを準備し、前記宝石用原石又はダイヤモンドの表面が基準露光面と平行及び略同一平面上であるよう宝石用原石又はダイヤモンドを位置決めするよう前記位置決め面を直接的又は間接的に使用し、前記面上にマークを形成する、
宝石用原石又は工業用ダイヤモンドをその表面上にマークを形成する方法。
【請求項２９】
マーク付けされるべき表面に表面層を塗布するためのスピン処理を含む、請求項２８記載の方法。
【請求項３０】
前記表面層はリソグラフィー用レジストである、請求項２９記載の方法。
【請求項３１】
前記リソグラフィー用レジストは塗布された後にベークされる、請求項３０記載の方法。
【請求項３２】
宝石用原石又は工業用ダイヤモンドをその表面上にマークを形成するために取り付け、準備する方法であって、請求項１乃至２８のうちいずれか一項記載の方法を含み、
マーク付けされるべき表面にアクセス可能であり、前記宝石用原石又はダイヤモンドのマーク付けされるべき表面とは反対側の部分がアクセス可能であるよう、宝石用原石又はダイヤモンドが保持材料により固定され、
マーク付けされるべき表面にレジストを塗布し、
前記部分をヒートポンプに熱的に結合することによって前記レジストをベークすることを更に含む、方法。
【請求項３３】
前記部分は突出し、前記ヒートポンプは受容部を画成するヒータを有し、前記受容部には液体金属が入っており、前記部分は前記宝石用原石又はダイヤモンドを前記ヒートポンプと熱的に結合させるために前記液体金属中に配置される、請求項３２記載の方法。
【請求項３４】
前記ヒートポンプは熱電冷却器である、請求項３２又は３３記載の方法。
【請求項３５】
前記部分は、宝石用原石又はダイヤモンドを冷却するよう、前記ヒートポンプによって続いて冷却される、請求項３２乃至３４のうちいずれか一項記載の方法。
【請求項３６】
レジストをその一部を露光させるために照射した後、宝石用原石又はダイヤモンドをスピンさせている間に現像液を塗布することにより像が現像される、請求項３０乃至３５のうちいずれか一項記載の方法。
【請求項３７】
請求項１乃至２７のうちのいずれか一項記載の方法によって取り付けられた宝石用原石又は工業用ダイヤモンド。
【請求項３８】
宝石用原石又はダイヤモンドをその表面上にマークを形成するために保持するホルダであって、
前記宝石用原石又はダイヤモンドは、前記宝石用原石又はダイヤモンドの周りの保持材料によって保持され、前記保持材料は成形されマーク付けされるべき表面を自由なままとし、マーク付けされるべき表面に対して垂直な方向に見たときに、前記宝石用原石又はダイヤモンドの一部の前側又は後ろ側の両方に保持材料があり前記保持材料は前記宝石用原石又はダイヤモンドの全周と接触することにより、前記宝石用原石又はダイヤモンドは保持材料によってしっかりと保持され、ホルダは、マーク付けされるべき前記表面と一致する又は平行な位置決め面を画成し、前記位置決め面は、前記マークの形成のための前記更なる手順のためにマーク付けされるべき前記表面を略所定の平面上にして前記宝石用原石又はダイヤモンドを位置決めするのに使用されうる、ホルダ。
【請求項３９】
前記保持材料は硬いリングの中に含まれ、前記リングの一方又は両方の端面は前記位置決め面を画成する、請求項３８記載のホルダ。
【請求項４０】
前記保持材料は、弾性又は柔軟なポリマーである、請求項３８又は３９記載のホルダ。
【請求項４１】
前記保持材料は、前記宝石用原石又はダイヤモンドの周りで液体状で成形され、次に硬化される、請求項３８乃至４０のうちいずれか一項記載のホルダ。
【請求項４２】
宝石用原石又はダイヤモンドは、宝石用原石又はダイヤモンドの周りにありマーク付けされるべき表面を自由なままとする弾性又は柔軟な保持材料によって保持され、マーク付けされるべき表面に対して垂直な方向に見たときに前記宝石用原石又はダイヤモンドが保持材料によってしっかりと保持されるよう前記宝石用原石又はダイヤモンドの一部の前側又は後ろ側の両方に保持材料があり、前記ホルダは、前記マークの形成のための更なる手順のために前記宝石用原石又はダイヤモンドを位置決めするよう直接的又は間接的に使用されうる位置決め面を画成し、前記位置決め面はマーク付けされるべき前記表面と一致するか又は平行であり、それにより前記位置決め面はマーク付けされるべき前記表面を略所定の平面上にして前記宝石用原石又はダイヤモンドを位置決めするのに使用されうる、
宝石用原石又はダイヤモンドをその表面上にマークを形成するために保持するホルダ。
【請求項４３】
前記保持材料は、前記宝石用原石又はダイヤモンドの周りに液体状で成形され、柔軟な又は弾性の保持材料を形成するよう硬化される、請求項４２記載のホルダ。
【請求項４４】
請求項２８乃至３１のうちいずれか一項記載の方法によって準備された宝石用原石又は工業用ダイヤモンド。
【請求項４５】
請求項２８乃至３１のうちいずれか一項記載の方法によってその上にマークが形成された宝石又は工業用ダイヤモンド。